【事件の表示】
　特願２０１４−５３１２９６「しずくの形の液体を分配するためのディスペンサ装置」拒絶査定不服審判事件〔平成２５年３月２８日国際公開、ＷＯ２０１３／０４１８１９、平成２６年１０月２３日国内公表、特表２０１４−５２７８７６〕について、次のとおり審決する。
【結　論】
　本件審判の請求は、成り立たない。
【理　由】
Ｉ　手続の経緯
　本願は、２０１２年９月２４日（パリ条約による優先権主張２０１１年９月２２日、フランス国）を国際出願日とする出願であって、拒絶理由が通知され、その指定された期間内に平成２８年４月１９日付けで特許請求の範囲についての手続補正がされ、平成２８年６月２７日付けで拒絶査定がなされ、これに対し、平成２８年１１月７日に拒絶査定不服審判の請求がなされると同時に特許請求の範囲についての手続補正がなされたものである。
　
II　平成２８年１１月７日付けの手続補正についての補正却下の決定
［補正却下の決定の結論］
　平成２８年１１月７日付けの手続補正（以下、「本件補正」という。）を却下する。
　
［理由］
１　補正後の本願発明
　本件補正により、特許請求の範囲の請求項１は、次のように補正された。
　「しずくの形の液体を分配するためのディスペンサ装置であって、
　
円筒形状を含むディスペンサ先端部（１４）と、
　
ディスク状の形状を含み不透明色を有する
　
前記上部分配端（２０）の中心部にあるしずく分配口と、
　前記しずく分配口を提供し、エラストマ材料からなるしずく分配バルブ（２２）で形成されるしずく形成手段（１６）と、
　前記しずく分配口のロケータ手段（４０）であって、前記上部分配端（２０）の他の部分と対照をなす色を有する境界ゾーンを形成することによって、前記しずく分配口の位置を視覚的につきとめるためのロケータ手段（４０）と、
を含み、
　前記境界ゾーンは前記しずく形成手段（１６）の着色によって確立されている、
装置。」（なお、下線は補正箇所を示すものである。）
　
２　補正の目的等
　本件補正は、請求項１に記載した発明を特定するために必要な事項である「ディスペンサ装置」について「円筒形状を含むディスペンサ先端部（１４）」「を含む」との限定を付加するとともに、「しずく分配口が形成された上部分配端（２０）」に関し、「上部分配端（２０）」について「ディスク状の形状を含み不透明色を有する」と限定するとともに「しずく分配口」について「上部分配端（２０）の中心部にある」と限定し、さらに「ディスク状の形状を含み不透明色を有する上部分配端（２０）と、前記上部分配端（２０）の中心部にあるしずく分配口と、」と明りょうな記載へと書き改めるものであり、また、補正後の請求項１に記載された発明は、補正前の請求項１に記載された発明と、産業上の利用分野及び解決しようとする課題が同一であるので、本件補正は、特許法第１７条の２第５項第２号の特許請求の範囲の減縮および第４号の明りょうでない記載の釈明を目的とするものに該当する。
　そして、本件補正は、新規事項を追加するものでなく、また、特許法第１７条の２第４項の要件を満たすものである。
　
３　独立特許要件
　そこで、本件補正後の前記請求項１に記載された発明（以下、「本願補正発明」という。）が特許出願の際独立して特許を受けることができるものであるか（特許法第１７条の２第６項において準用する同法第１２６条第７項の規定に適合するか）について以下に検討する。
　
３−１　引用文献
（１）原査定の拒絶の理由に引用された、本願の優先日前に電気通信回線を通じて公衆に利用可能となった文献である国際公開第２０１１／０５１６０２号（以下、「引用文献１」という。）には、図面と共に次の事項が記載されている（訳文として、特表２０１３−５０９２２０号公報を援用する。）。
（１−１）
「
」（１頁２〜４行）（ 本発明は、例えば目薬など、薬剤の分野において液体を特に液滴の形態で送出する分野に関する。（特表２０１３−５０９２２０号公報の【０００１】欄））
（１−２）
「
」（１頁最下行〜２頁９行）（ 本発明の目的は、液体の送出のための装置であって、
  押されることによって液体を送出すべく変形することができる液体リザーバと、
  リザーバに装着された液体送出用端部ピースと、
  液体を通すための通路と、
  リザーバの外部から内部へと空気を通すための通路と
  を備えており、
  空気を通すための通路が、通気ポリマー材料で作られた部材によって閉じられており、この材料が無孔性（ｎｏｎ−ｐｏｒｏｕｓ）であって、部材が通気部材と呼ばれることを特徴とする装置である。（特表２０１３−５０９２２０号公報の【０００９】欄））
（１−３）
「
」（４頁１６〜２２行）（ 端部ピースおよび部材の各々が、中心軸を有しており、２つの軸が同一直線上にある。これは、端部ピースへの部材の取り付けをより容易にする。実際、一方の部品を他方の部品に対して心出しすることが容易である。加えて、通気部材を装置の中心に配置することによって、例えば装置のリザーバの首全体を覆う比較的大きい面積を有するように設計し、内部および外部の圧力が可能な限り速やかに平衡に達するよう、空気の流れにより大きな面積を提供することが可能である。（特表２０１３−５０９２２０号公報の【００１９】欄））
（１−４）
「
」（６頁３１行〜７頁７行）（ 図１が、液体を液滴の形態で送出するための端部ピース１０を示しており、この端部ピース１０は、リザーバ１２の首へと螺合によって取り付けられる。このリザーバ１２は、液体（例えば、目薬などの薬剤の液体）のための貯蔵容器である。リザーバ１２を、リザーバを押すことによって液体を送出すべく変形させることができる。より詳しくは、液体が、ユーザによってリザーバ１２の本体へと加えられる圧力によって送出されるが、リザーバの本体が然るべき弾性を有していることで、ユーザによって加えられる圧力が緩められた後に初期の形状へと戻ることができ、リザーバ１２の内部に圧力低下が生じる。
  この例では、送出用端部ピース１０が、支持部１４と、送出開口１８が設けられた送出バルブ１６と、ばね２０と、外被２２と、リザーバ１２から送出開口１８へと液体を通すための通路２４と、リザーバ１２へと空気を通すための通路２６とを備えており、通路２６が通気部材２８によって閉じられている。（特表２０１３−５０９２２０号公報の【０００３２】〜【００３３】欄））
（１−５）
「
」（８頁２３行〜９頁１２行）（ さらに支持部１４は、バルブ１６を支持部１４に固定するための部位５６を備えている。この部位５６は、外被２２を支持部１４に固定するために用いられる部位としても機能する。部位５６は、環状の壁６０によって外周が画定された環状の溝５８を備えている。さらに、環状の溝５８の内周は、円板を実質的に形成している壁（通路２４が横切っており、空洞４８によって画定されている）に生成された環状のリブによって画定されている。
  バルブ１６は、支持部１４との協働によって、液体を遮断する状態と、液体を送出する状態とをとることができる。この例では、バルブ１６がエラストマ材料から作られている。別の例によれば、バルブ１６の一部だけがエラストマ材料から作られ、残りの部分が、ばね２０のための座として機能することができるより剛性のある材料から作られる。バルブ１６は、実質的に管状のスカートを形成している支持部１４への固定のための部位６２を備えている。この固定のための部位６２が、実質的に円板状のウェブ６４へとつながり、そこから実質的に円筒形の中央部６６が突き出している。ウェブ６４は、ばね２０のための座６８をさらに備えている。部位６６が、部位３８に相補的である実質的に円柱形の内側空洞を形成している。部位３８および円筒形の部位６６が同軸であり、液体を通すための通路５０を協働して画定している。この液体を通すための通路５０は、バルブ１６の遠位端に形成された送出開口１８へと開いており、送出開口１８自体は、液滴を形成するための形状６８へと開いている。
  外被２２が、支持部１４への固定のための環状の部位７０と、環状の壁６０を収容する溝７４を形成するように部位７０と同軸であるもう１つの環状の部位７２とを備えている。さらに外被２２は、ばね２０のための座７６を備えており、内周が環状の壁７８によって延長され、バルブ１６の部位６６が横切り、心出しされるように設計されている。（特表２０１３−５０９２２０号公報の【００４１】〜【００４３】欄））
（１−６）Ｆｉｇ．１の記載から、送出開口１８を備えた送出バルブ１６は、外被２２の中央位置に配置されており、また、その送出開口１８を上方に向けた状態で、外被２２の上面は左右の端部から中央に向かってなだらかに高くなる形状であることが窺える。
　上記した（１−３）の「端部ピース・・・が、中心軸を有しており」、（１−４）の「この端部ピース１０は、リザーバ１２の首へと螺合によって取り付けられる。」及び（１−５）の「 外被２２が、支持部１４への固定のための環状の部位７０と、環状の壁６０を収容する溝７４を形成するように部位７０と同軸であるもう１つの環状の部位７２とを備えている。」の記載及び（１−６）の図示内容を総合してみて、外被２２は、送出開口１８を上に向けた状態において、その上面が周囲から中央に向かってなだらかに高くなる円形状であり、また、送出開口１８は、外被２２の中心部にあるといえる。
　また、送出用端部ピース１０は、外被２２が環状の部位７０を備えるから、円筒形状を有するといえる。
　上記（１−５）の「 バルブ１６は、支持部１４との協働によって、液体を遮断する状態と、液体を送出する状態とをとることができる。この例では、バルブ１６がエラストマ材料から作られている。・・・この液体を通すための通路５０は、バルブ１６の遠位端に形成された送出開口１８へと開いており、送出開口１８自体は、液滴を形成するための形状６８へと開いている。」の記載から、装置は、送出開口１８を提供し、エラストマ材料からなる送出バルブ（１６）で形成される液滴を形成する手段を有するといえる。
　以上から、引用文献１には次の発明（以下、「引用文献１発明」という。）が記載されている。
「液滴の形態の液体を送出するための装置であって、
　円筒形状を含む送出用端部ピース１０と、
　送出開口１８を上に向けた状態において、その上面が周囲から中央に向かってなだらかに高くなる円形状を含む外被２２と、
　外被２２の中心部にある送出開口１８と、
　送出開口１８を提供し、エラストマ材料からなる送出バルブ１６で形成される液滴を形成する手段と、
を含む、
装置。」
（２）同じく原査定の拒絶の理由に引用された、本願の優先日前に頒布された文献である米国特許第４５５０８６６号明細書（以下、「引用文献２」という。）には、図面と共に次の事項が記載されている（和文は当審による訳。）。
（２−１）「1. Field of the Invention
 The present invention relates generally to devices for dispensing and applying medications to the eye. More particularly, the invention concerns a uniquely configured, multicolor device which is attachable to a fluid medicine container for dispensing fluid therefrom into the eye.」（１欄３〜９行）（発明の分野
　この発明は、一般的に眼に薬剤を分配して適用する装置に関する。より詳細には、この発明は、眼に液体を分配するための薬液容器に取り付け可能な、独特な構成の多色装置に関する。）
（２−２）「Turning now to FIGS. 4, 5 and 6, there is shown another form of the ocular dispenser of the present invention. In this form of the invention, the dispensing device 26 is once again adapted to be closely received within the open top 28 of a second form of medicine container 30. As best seen in FIG. 6, this second type of squeeze bottle is generally circular in cross-section at any point and has at its upper end an open externally threaded neck portion 32. Once again, container 30 is typically constructed of a plastic material, usually opaque, or white in color.」（３欄２６〜３６行）（図４、５及び６をみると、本発明の眼用ディスペンサのもう１つの形態が示されている。この発明の形態においても、分配装置２６は、薬液容器３０の第２の形式の上部開口２８内にぴったりと収容されて、適合されている。図６において最も明らかなとおり、このスクイーズボトルの第２形式は、一般的に任意の点において断面円形であり、その上端において開いた雄ネジのある頸部分３２を有している。容器３０は、典型的にはプラスチック材料で形成され、通常不透明又は白色である。）
（２−３）「Referring to FIG. 5, the device of this form of the invention includes a lower portion 32a adapted to be partially received within the opening 28 of container 30 and an upper nozzle portion 34. The nozzle portion 34 is generally circular in cross-section at any point and comprises a first upper portion 36 and a second lower portion 38. Formed intermediate of portions 32a and 38 is a flange portion 40 having a plurality of radially outwardly extending ridges 42 protruding upwardly from an upper generally planar surface 40a (FIG. 6) of flange 40. As best seen by referring to FIG. 6, the flanges 42（審決注：ridges42の誤記と考えられる。） of the form of the invention shown in the drawings are circumferentially spaced apart by approximately 90°. With this arrangement, a cross-hair like effectis created. As best seen in FIG. 5, the device is provided with an axially extending fluid passageway 43 which is adapted to communicate with the interior of the container 30 when the device is connected to the container.」（３欄３７〜末行）
（図５を参照して、この発明の形態における装置は、容器３０の開口部２８に特に受け入れられて適合する下側部分３２ａと上部ノズル部分３４を有している。ノズル部分３４は一般的に任意の点において断面円形であり、第１の上側部分３６と第２の下側部分３８とから成っている。複数の半径方向外方向に延びる隆起部分４２をもつフランジ部分４０が部分３２ａと３８との間に形成されており、その隆起部分４２はフランジ４０の平らな表面４０ａ（図６）の上面から上方に突き出している。図６を参照することにより最もよくわかるように、図示されたこの発明の形態におけるフランジ４２（審決注：隆起４２の誤記と考えられる。）は、周方向に約９０度離間して位置している。この配置により、十字線状のものがつくられる。図５により最もよくわかるように、この装置には、容器に接続されるとき、容器３０の内部に通じるように適合された軸方向に延びる流体通路４３が備わっている。）
（２−４）「To once again make maximum use of the advantages of color differentiation as an aid in focusing upon the nozzle, the upper portion 36 of the nozzle is formed of a first color, while the lower portion 38 is formed of a second color. Similarly, the planar portion 40a of flange 40 is preferably formed of a third color while the upstanding ridge portions 42 are formed of a fourth color. This arrangement gives a vivid color pattern to the viewer, which, as best seen in FIG. 6, appears to be a cross, or cross-hair like configuration having a multicolored target-like area superimposed thereover. By way of example, upper portion 36 of the nozzle may be colored red, lower portion 38 of the nozzle may be colored blue, the planar surface 40a of the flange may be colored yellow and the upstanding flange（審決注：ridgesの誤記と考えられる。） portions 42 may be colored green. It is apparent that such a vivid color pattern in the unique configuration illustrated in FIG. 6 provides a unique mechanism for easy focusing and centering of the nozzle portion of the device relative to the eyeball. 」（４欄１〜２０行）（ノズルに焦点を合わせるための、色の区別の利点を最大限にするために、ノズルの上側部分３６は第１の色で形成され、一方下側部分３８は第２の色で形成される。同様に、フランジ４０の平らな表面４０ａは、望ましくは第３の色で形成され、一方、直立した隆起部分は第４の色で形成される。この配置は、鮮やかな色パターンを観察者に提供し、それは、図６により最もよくわかるように、重ね合わされた多色の標的領域を有する交差または「十字線」状の輪郭であるように見える。例を挙げれば、ノズルの上側部分３６は赤色、ノズルの下側部分３８は青色、フランジの平らな表面４０ａは黄色、直立したフランジ（審決注：隆起の誤記と考えられる。）部分４２は緑色である。図６に示された固有の輪郭のそのような鮮やかな色パターンは、容易な焦点合せと眼球に対する装置のノズル部分の中心合せのための固有の機構を提供するものであることは明らかである。）
（２−５）Ｆｉｇ．５とＦｉｇ．６とを合わせてみて、流体流路４３の端部が上部ノズル部分３４の上端部の中央に位置していることが窺える。
　上記（２−１）〜（２−４）の記載及びＦｉｇ．４〜６の記載からみて、分配装置２６における下側部分３８、平らな表面４０ａ及び隆起部分４２は、分配装置２６が容器３０に取り付けられたものにおいて、上端部に位置するといえる。
　また、下側部分３８、平らな表面４０ａ及び隆起部分４２を、それぞれ青色、黄色及び緑色に形成することは、各部分を不透明色に形成するといえる。
　したがって、引用文献２には、「容器３０に取り付けられた分配装置２６について、その上端部を、不透明色を有するものとする発明」（以下、「引用文献２発明Ａ」という。）が記載されている。
　
  また、上記した（２−４）の記載と（２−５）の図示内容とを併せてみて、上側部分３６を赤色に形成するとともに、下側部分３８、平らな表面４０ａ及び隆起部分４２を、それぞれ青色、黄色及び緑色に形成することは、眼球に対して、分配装置２６の上端部の中央に形成された流体流路４３の出口位置を視覚的につきとめるための手段といえる。
　また、上側部分３６を赤色に形成する一方、下側部分３８、平らな表面４０ａ及び隆起部分４２を、それぞれ青色、黄色及び緑色に形成することにより鮮やかな色パターンを形成するから、上側部分３６と、下側部分３８、平らな表面４０ａ及び隆起部分４２とは、他の部分と対照をなす色を有する境界ゾーンを形成するといえる。
　さらに、上側部分３６が、薬液のしずくを形成する手段であることは明らかである。
　したがって、引用文献２には、「分配装置２６について、その上側部分３６と、下側部分３８、平らな表面４０ａ及び隆起部分４２とについて、他の部分と対照をなす色を有する境界ゾーンを形成することによって、その上端部に形成された流体流路４３の出口位置を視覚的に認識できるようにするための手段を備えるとともに、境界ゾーンは、薬液のしずくを形成する手段の着色によって確立されるものとする発明」（以下、「引用文献２発明Ｂ」という。）が記載されている。
　
（３）当審の原査定において引用された、本願の優先日前に頒布された文献である実願昭５９−４６８０９号（実開昭６０−１６０８３６号）のマイクロフィルム（以下、「引用文献３」という。）には、次の事項が図面とともに記載されている。
（３−１）「この考案の点眼薬容器１０は、目薬を収容する容器本体１２から成っている。この容器本体１０には上方に突出し、容器本体１２内に薬液を注入するための開口１４が一体に構成してある。この開口１４にはノズル部材１６を嵌装する。・・・この考案においては、ノズル部材１６の先端部２２を容器本体１２あるいはノズル部材１６の他の部分と異なり鮮明に着色してある。・・・
　この考案によれば、点眼薬容器１０のノズル部材１６の先端部２２を、以上に述べたように他の部分と全く異なる鮮明な色彩に着色してあるので、点眼時に、顔を仰けて、点眼薬容器１０のノズル１６の先端部２２を下にして眼の上方にもってゆくと、ノズル部材１６の着色した先端部２２を、点眼しようとして、開いた眼球で確認することができる。」（３頁１行〜４頁８行）
　したがって、引用文献３には、「点眼薬容器１０のノズル部材１６の先端部２２を他の部分と全く異なる鮮明な色彩に着色することにより、ノズル部材１６の着色した先端部２２を開いた眼球で確認できるようにすること」（以下、「引用文献３記載事項」という。）が記載されている。
　
３−２　対比
　本願補正発明と引用文献１発明とを対比すると、その構造または機能からみて、引用文献１発明の「液滴の形態の液体」は、本願補正発明の「しずくの形の液体」に相当し、以下同様に、「送出する」は「分配する」に、「装置」は「ディスペンサ装置」に、「送出用端部ピース１０」は「ディスペンサ先端部（１４）」に、「外被２２」は「上部分配端（２０）」に、「送出開口１８」は「しずく分配口」に、「送出バルブ（１６）」は「しずく分配バルブ（２２）」に、「液滴を形成する手段」は「しずく形成手段（１６）」に、それぞれ相当する。
　ところで、本願補正発明の上部分配端（２０）における「ディスク状の形状」について、明細書には、「【００１６】・・・本実施形態において、先端部１４は、通常、実質的に円筒形状であり、分配口１６を有するディスクの一般的形状を有する分配端２０がその中心に位置する。・・・」と記載され、また、図３には、引用文献１のＦｉｇ．１の外被２２のように、分配口を上に向けた状態において、上部分配端２０の上面は左右の端部から中央に向かってなだらかに高くなる形状が図示されている。
　したがって、引用文献１発明の「送出開口１８を上に向けた状態において、その上面が周囲から中央に向かってなだらかに高くなる円形状」は、本願補正発明の「ディスク状の形状」に相当する。
　
　以上から、本願補正発明と引用文献１発明とは、
「しずくの形の液体を分配するためのディスペンサ装置であって、
　円筒形状を含むディスペンサ先端部と、
　ディスク状の形状を含む上部分配端と、
　前記上部分配端の中心部にあるしずく分配口と、
　前記しずく分配口を提供し、エラストマ材料からなるしずく分配バルブで形成されるしずく形成手段と、
を含む、
装置。」である点で一致し、次の点で相違する。
（相違点１）
　本願補正発明の上部分配端は不透明色を有するものであるのに対し、引用文献１発明の上部分配端は何色を有するものであるか不明な点。
　
（相違点２）
　本願補正発明は、しずく分配口のロケータ手段であって、上部分配端の他の部分と対照をなす色を有する境界ゾーンを形成することによって、前記しずく分配口の位置を視覚的につきとめるためのロケータ手段を含み、前記境界ゾーンはしずく形成手段の着色によって確立されているものであるのに対し、引用文献１発明は、しずく分配口のロケータ手段を有するかどうか不明であり、それゆえに、境界ゾーンはしずく形成手段の着色によって確立されているかどうかも不明である点。
　
３−３　相違点の判断
（相違点１について）
　上記３−１の（２）欄に記載したとおり、引用文献２には、引用文献２発明Ａが記載されている。
　一方、引用文献２発明Ａの上端部は装置の上部分配端といえるものである。
　したがって、引用文献１発明の上部分配端に引用文献２発明Ａを適用し、引用文献１発明の上部分配端を不透明色を有するものとすることは当業者が容易になし得る程度の事項にすぎない。
　
（相違点２について）
　上記３−１の（２）欄に記載したとおり、引用文献２には、引用文献２発明Ｂが記載され、また、引用文献３には、同（３）欄に記載したとおり、引用文献３記載事項が記載されているから、しずくの形の液体を眼に分配するためのディスペンサ装置において、より的確に液体を眼に分配できるようにすることは当然求められる課題であり、また、当該課題を解決するために、しずく分配口の位置を視覚的につきとめるための手段を設けることも周知であると認められる。
　そして、引用文献１発明も同様に上記課題を有すると認められる。
　そうすると、上記課題の解決手段として、引用文献１発明の上部分配端に引用文献２発明Ｂを適用し、引用文献１発明を、しずく分配口のロケータ手段として、上部分配端の他の部分と対照をなす色を有する境界ゾーンを形成することによって、前記しずく分配口の位置を視覚的につきとめるための手段を含むものとするとともに、前記境界ゾーンはしずく形成手段の着色によって確立されているものとすることは、当業者が容易になし得る程度の事項にすぎない。
　そして、本願補正発明による効果も、引用文献１発明、引用文献２発明及び周知技術から当業者が予測し得た程度のものであって、格別のものとはいえない。
　
　したがって、本願補正発明は、引用文献１発明、引用文献２発明及び周知技術に基づいて、当業者が容易に発明をすることができたものであるので、特許法第２９条第２項の規定により、特許出願の際独立して特許を受けることができない。
　
３−４　むすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
　
III 本願発明
　本件補正は、上記のとおり却下されたので、本願の請求項１に係る発明（以下、同項記載の発明を、「本願発明」という。）は、平成２８年４月１９日付けの手続補正書により補正された特許請求の範囲の請求項１に記載された事項により特定される、以下のとおりのものである。
　「しずくの形の液体を分配するためのディスペンサ装置であって、
　しずく分配口が形成された上部分配端（２０）と、
　前記しずく分配口を提供し、エラストマ材料からなるしずく分配バルブ（２２）で形成されるしずく形成手段（１６）と、
　前記しずく分配口のロケータ手段（４０）であって、前記上部分配端（２０）の他の部分と対照をなす色を有する境界ゾーンを形成することによって、前記しずく分配口の位置を視覚的につきとめるためのロケータ手段（４０）と、
を含み、
　前記境界ゾーンは前記しずく形成手段（１６）の着色によって確立されている、
装置。」
　
IV　引用文献の記載事項
　原査定の拒絶の理由に引用文献１、２及びその記載事項は、上記IIの「３−１」欄に記載したとおりである。
　
Ｖ　対比・判断
　本願発明は、前記IIの１欄の本願補正発明から、「ディスペンサ装置」の限定事項である「円筒形状を含むディスペンサ先端部（１４）」「を含む」との構成を省き、また、「上部分配端（２０）」の限定事項である「ディスク状の形状を含み不透明色を有する」との構成及び「しずく分配口」の限定事項である「上部分配端（２０）の中心部にある」との構成をそれぞれ省くとともに「上部分配端（２０）」及び「しずく分配口」について「しずく分配口が形成された上部分配端（２０）」と書き改めたものである。
　そうすると、本願発明の発明特定事項をすべて含み、さらに、他の発明特定事項を付加したものに相当する本願補正発明が、前記IIの「３−３」欄に記載したとおり、引用文献１発明、引用文献２発明及び周知技術に基づいて、当業者が容易に発明をすることができたものであるから、本願発明も、同様に、引用文献１発明、引用文献２発明及び周知技術に基づいて、当業者が容易に発明をすることができたものである。
　
VI　むすび
　以上のとおり、本願発明は、同様に、引用文献１発明、引用文献２発明及び周知技術に基づいて、当業者が容易に発明をすることができたものであるから、特許法第２９条第２項の規定により、特許を受けることができない。
　よって、結論のとおり審決する。